(57)【要約】【課題】省電力モードを効率的に機能させるために、省電力モードへの移行を認識させることができる画像表示装置を提供する。【解決手段】制御部５４を構成する計時手段５４５Ｄは、外部機器であるパーソナルコンピュータ１００から出力される画像信号が蓄積部５５のフレームメモリ５５Ａに記録されると同時に計測を開始する。省電力モード移行予告手段５４５Ｂは、計時手段５４５Ｄによる計測時間を監視する。そして、パーソナルコンピュータ１００から出力される画像信号が無い状態、すなわち、フレームメモリ５５Ａに記録される画像信号が更新されない状態、かつプロジェクタ１の無操作状態が所定時間経過した後、移行予告信号をパーソナルコンピュータ１００に出力し、スリープモードへの移行を予告する。省電力モード切替手段５４５Ａは、この移行の予告の後、所定時間後に、プロジェクタ１をスリープモードに切り替える。【選択図】　図８
2004021218.tif 000002
【特許請求の範囲】
【請求項１】
接続された外部機器から入力される画像信号に基づいて光学像を形成表示する画像形成部と、この画像形成部を制御する制御部とを備えた画像表示装置であって、
前記制御部は、
前記画像信号が所定時間入力されないことを条件として、前記画像形成部を最低限の電力消費状態にする省電力モードに切り替える省電力モード切替手段と、この省電力モード切替手段による切り替え実行前に、前記省電力モードへの移行を予告する省電力モード移行予告手段とを備えていることを特徴とする画像表示装置。
【請求項２】
請求項１に記載の画像表示装置において、
前記省電力モード移行予告手段による移行予告に対して、省電力モードへの移行の許可または拒否の選択を促す移行許否選択手段を備えていることを特徴とする画像表示装置。
【請求項３】
請求項１または請求項２に記載の画像表示装置において、
前記省電力モード移行予告手段は、前記接続された外部機器に前記移行予告信号を出力するように構成されていることを特徴とする画像表示装置。
【請求項４】
請求項３に記載の画像表示装置において、
前記制御部は、
前記省電力モード移行予告手段による移行予告信号、および前記外部機器から出力された画像信号を対比して、両者が一致したら、画像信号が入力されていないと擬制する入力画像信号擬制手段を備えていることを特徴とする画像表示装置。
【請求項５】
請求項１または請求項２に記載の画像表示装置において、
前記画像形成部および前記制御部の状態を表示する状態表示部を備え、
前記省電力モード移行予告手段は、この状態表示部に移行予告信号を出力し、該状態表示部に移行予告を表示させるように構成されていることを特徴とする画像表示装置。
【請求項６】
請求項５に記載の画像表示装置において、
前記制御部に操作信号を送信し、当該画像表示装置を遠隔操作する遠隔操作部を備え、
前記状態表示部は、前記遠隔操作部に搭載されていることを特徴とする画像表示装置。
【請求項７】
請求項１または請求項２に記載の画像表示装置において、
前記省電力モード移行予告手段は、前記画像形成部に前記移行予告を出力し、形成される投写画像として表示させるように構成されていることを特徴とする画像表示装置。
【請求項８】
請求項１から請求項７のいずれかに記載の画像表示装置において、
前記所定時間は、複数の設定時間から選択可能であり、
前記制御部は、この複数の設定時間の選択を促す設定時間選択手段と、時間を計測する計時手段とを備えていることを特徴とする画像表示装置。
【請求項９】
請求項１から請求項８のいずれかに記載の画像表示装置において、
前記制御部は、前記画像信号が所定時間入力されないことを条件として、画像信号が無い状態を動画表示する状態画像表示手段を備えていることを特徴とする画像表示装置。
【請求項１０】
接続された外部機器から入力される画像信号に基づいて光学像を形成表示する画像形成部と、この画像形成部を制御する制御部とを備えた画像表示装置の省電力モード切替方法であって、
前記制御部に、
前記画像信号が所定時間入力されないことを条件として、前記画像形成部を最低限の電力消費状態にする省電力モードに切り替える省電力モード切替ステップと、
この省電力モードへの切り替え実行前に、前記省電力モードへの移行を予告する省電力モード移行予告ステップとを備えていることを特徴とする画像表示装置の省電力モード切替方法。
【請求項１１】
請求項１０に記載の省電力モード切替方法を画像表示装置の制御部に実行させることを特徴とするプログラム。
【発明の詳細な説明】
【０００１】
【発明の属する技術分野】
本発明は、接続された外部機器から入力される画像信号に基づいて光学像を形成表示する画像形成部と、この画像形成部を制御する制御部とを備えた画像表示装置、画像表示装置の省電力モード切替方法、および、この省電力モード切替方法をコンピュータに実行させるためのプログラムに関する。
【０００２】
【背景技術】
従来より、光源から射出された光束を入力される画像信号に応じて変調し光学像を形成する電気光学装置と、形成された光学像を拡大投写する投写光学系とを備えたプロジェクタが知られている。
このようなプロジェクタによれば、外部機器と接続し、ＰＣ（Ｐｅｒｓｏｎａｌ　Ｃｏｍｐｕｔｅｒ）データ、ＤＶＤ（Ｄｉｇｉｔａｌ　Ｖｅｒｓａｔｉｌｅ　Ｄｉｓｋ）やビデオ、ビデオカメラ等、さまざまな映像情報を入力し、この映像情報に応じて光学像を形成してスクリーン上に大画面表示することができる。
【０００３】
このプロジェクタには、従来、外部機器から入力される画像信号が無い状態かつ無操作状態が規定時間続いた場合に、プロジェクタ本体の電力消費状態を最低限にするスリープモード機能が設けられている。
このスリープモードが起動すると、光源を消灯し、内部に設置された冷却ファンによりプロジェクタ内部の冷却を行う。そして、この後、プロジェクタ本体の電力消費状態を最低限にまで落としたスタンバイ状態に移行する。
このようなスリープモードは、いたずらに光源を長時間点灯させて光源の寿命を短くしないために機能している。
【０００４】
【発明が解決しようとする課題】
しかしながら、このようなプロジェクタでは、一旦スリープモードが起動すると、プロジェクタ内部が十分に冷却されないと光源を再点灯できない。このため、プレゼンテーション中にスリープモードが起動すると、説明者が画像表示状態に復帰させようとしても、光源を点灯できずに画像を表示できない、という問題がある。
また、ユーザがこのスリープモード機能を認識していない場合には、プロジェクタが故障したものとして判断してしまう、という問題がある。
【０００５】
本発明の目的は、このような点に鑑みて、省電力モードを効率的に機能させるために、省電力モードへの移行を認識させることができる画像表示装置を提供することにある。
【０００６】
【課題を解決するための手段】
本発明の画像表示装置は、接続された外部機器から入力される画像信号に基づいて光学像を形成表示する画像形成部と、この画像形成部を制御する制御部とを備えた画像表示装置であって、前記制御部は、前記画像信号が所定時間入力されないことを条件として、前記画像形成部を最低源の電力消費状態にする省電力モードに切り替える省電力モード切替手段と、この省電力モード切替手段による切り替え前に、前記省電力モードへの移行を予告する省電力モード移行予告手段とを備えていることを特徴とするものである。
【０００７】
本発明では、制御部は、省電力モード切替手段および省電力モード移行予告手段とを備え、省電力モード移行予告手段は、省電力モード切替手段による切り替え前に、省電力モードへの移行を予告する。このことにより、例えば、ユーザがこの画像表示装置を用いてプレゼンテーションを行っている際に、省電力モード切替手段が画像表示装置を省電力モードに切り替える前に、省電力モード移行予告手段が省電力モードへの移行を予告することで、ユーザは省電力モードへの切り替え前に省電力モードへの移行を認識することができる。
また、この省電力モードへと移行する旨の予告により、ユーザは省電力モード機能を認識することができ、省電力モードに移行した場合でも、ユーザが画像表示装置が故障したと判断することを回避することができる。
【０００８】
本発明の画像表示装置では、前記省電力モード移行予告手段による移行予告に対して、省電力モードへの移行の許可または拒否の選択を促す移行許否選択手段を備えていることが好ましい。
本発明では、制御部は、移行許否選択手段を備え、この移行許否選択手段は、省電力モード移行予告手段による移行予告に対して、省電力モードへの移行の許可または拒否の選択を促す。このことにより、省電力モード移行予告手段による予告によって、省電力モードへの移行を認識することができ、さらに、移行許否選択手段によって、省電力モードへ移行するか否かを選択することができる。
【０００９】
したがって、例えば、ユーザがこの画像表示装置を用いてプレゼンテーションを行っている際に、省電力モード移行予告手段によって省電力モードの移行を認識した後に、プレゼンテーションを継続する場合には、省電力モードへの移行を拒否することができる。一方、プレゼンテーションを終了する場合には、省電力モードへの移行を許可することで、画像表示装置の電力消費を効率的に低減することができる。
【００１０】
本発明の画像表示装置では、前記省電力モード移行予告手段は、前記接続された外部機器に前記移行予告信号を出力するように構成されていることが好ましい。
ここで、外部機器としては、パーソナルコンピュータ、ＰＤＡ（Ｐｅｒｓｏｎａｌ　Ｄｉｇｉｔａｌ　Ａｓｓｉｓｔａｎｔ）、ＤＶＤドライブ、テレビ、ビデオレコーダ、ビデオカメラ等を採用することができる。
【００１１】
本発明では、省電力モード移行予告手段は、接続された外部機器に移行予告信号を出力するように構成されている。このことにより、例えば、ユーザが、画像表示装置を用い、パーソナルコンピュータのＰＣデータに基づいてプレゼンテーションを行っている際に、省電力モード移行予告手段が移行予告信号をパーソナルコンピュータに出力する。そして、ユーザは、このパーソナルコンピュータから画像表示装置の省電力モードへの移行を認識することができる。
【００１２】
本発明の画像表示装置では、前記制御部は、前記省電力モード移行予告手段による移行予告信号、および前記外部機器から出力された画像信号を対比して、両者が一致したら、画像信号が入力されていないと擬制する入力画像信号擬制手段を備えていることが好ましい。
【００１３】
例えば、パーソナルコンピュータを画像表示装置に接続して、ＰＣデータを画像表示装置に表示する場合には、パーソナルコンピュータの画像形成部に入力される画像信号と同様な画像信号が画像表示装置に入力される。すなわち、パーソナルコンピュータに表示されている画像が画像表示装置に表示されることになる。
【００１４】
ここで、省電力モード移行予告手段による移行予告信号をパーソナルコンピュータが入力した場合には、パーソナルコンピュータは、この信号に応じた画像を表示する。そして、画像表示装置は、このパーソナルコンピュータの画像表示に連動して画像を表示する。
すなわち、省電力モードが、画像表示装置へ入力される画像信号が所定時間入力されないことを条件として、実施されるように構成されている場合には、省電力モードへの移行が常に拒絶されることとなる。
【００１５】
本発明では、制御部は、入力画像信号擬制手段を備え、この入力画像信号擬制手段は、省電力モード移行予告手段による移行予告信号、および外部機器から出力された画像信号を対比して、両者が一致したら、画像信号が入力されていないと擬制する。このことにより、入力画像信号擬制手段が、省電力モード移行予告手段による移行予告信号および外部機器から出力された画像信号を対比し、例えば、外部機器から出力された画像信号が省電力モード移行予告手段による移行予告信号に応じた画像信号である場合に、この画像信号は入力されていないと擬制する。
したがって、省電力モード移行予告手段から外部機器への移行予告信号の出力に伴って生じる省電力モードへの移行の拒絶を回避することができる。
【００１６】
本発明の画像表示装置では、前記画像形成部および前記制御部の状態を表示する状態表示部を備え、前記省電力モード移行予告手段は、この状態表示部に移行予告信号を出力し、該状態表示部に移行予告を表示させるように構成されていることが好ましい。
本発明では、画像表示装置は、状態表示部を備え、この状態表示部は、省電力モード移行予告手段による移行予告信号を入力し、移行予告を表示する。このことにより、例えば、ユーザが画像表示装置を用いてプレゼンテーションを行っている際に、状態表示部は、省電力モード移行予告手段による移行予告信号を入力して移行予告を表示する。そして、ユーザは、この状態表示部から画像形成部の省電力モードへの移行を認識することができる。
【００１７】
本発明の画像表示装置では、前記制御部に操作信号を送信し、当該画像表示装置を遠隔操作する遠隔操作部を備え、前記状態表示部は、前記遠隔操作部に搭載されていることが好ましい。
本発明では、画像表示装置は、遠隔操作部を備え、この遠隔操作部には状態表示部が搭載されている。このことにより、例えば、ユーザが、画像表示装置を用いてプレゼンテーションを行う際、遠隔操作部を操作することにより実施する。ここで、省電力モード移行予告手段による移行予告信号を遠隔操作部に搭載された状態表示部に出力することで、ユーザは、この遠隔操作部から画像形成部の省電力モードへの移行を認識することができる。
【００１８】
本発明の画像表示装置では、前記省電力モード移行予告手段は、前記画像形成部に前記移行予告を出力し、形成される投写画像として表示させるように構成されていることが好ましい。
本発明では、省電力モード移行予告手段は、画像形成部に移行予告を出力する。そして、画像形成部は、この移行予告に応じて、形成される投写画像として表示する。このことにより、例えば、ユーザが、画像表示装置を用いてプレゼンテーションを行っている際に、画像形成部は、省電力モード移行予告手段による移行予告に応じた投写画像を形成表示する。
したがって、ユーザは、画像形成部の省電力モードへの移行を画像形成部で形成された投写画像の大画面表示により確実に認識することができる。
【００１９】
本発明の画像表示装置では、前記所定時間は、複数の設定時間から選択可能であり、前記制御部は、この複数の設定時間の選択を促す設定時間選択手段と、時間を計測する計時手段とを備えていることが好ましい。
【００２０】
本発明では、制御部は、設定時間選択手段と計時手段とを備えていることにより、省電力モード切替手段は、計時手段の計測時間を認識することで、設定時間選択手段により選択された適切な時間で省電力モードに切り替えることができる。また、省電力モード移行予告手段は、設定時間選択手段により選択された設定時間に基づいて適切な時間に省電力モードへの移行する予告を行うことができる。
したがって、例えば、ユーザによるプレゼンテーションを効率的に実施することができるとともに、ユーザは、省電力モードへと移行することを適切な時間で認識することができる。
【００２１】
本発明の画像表示装置では、前記制御部は、前記画像信号が所定時間入力されないことを条件として、画像信号が無い状態を動画表示する状態画像表示手段を備えていることが好ましい。
本発明では、制御部は、状態画像表示手段を備え、この状態画像表示手段は、画像信号が所定時間入力されないことを条件として、画像信号が無い状態を動画表示する。このことにより、画像形成部に継続して同一の光学像を形成させることによる画像形成部の劣化を回避することができる。
【００２２】
本発明の省電力モード切替方法は、接続された外部機器から入力される画像信号に基づいて光学像を形成表示する画像形成部と、この画像形成部を制御する制御部とを備えた画像表示装置の省電力モード切替方法であって、前記制御部に、前記画像信号が所定時間入力されないことを条件として、前記画像形成部を最低限の電力消費状態にする省電力モードに切り替える省電力モード切替ステップと、この省電力モードへの切り替え実行前に、前記省電力モードへの移行を予告する省電力モード移行予告ステップとを備えていることを特徴とするものである。
【００２３】
本発明では、省電力モード切替方法は、省電力モード切替ステップと、省電力モード移行予告ステップとを備えていることにより、ユーザは省電力モードへの切り替え前に省電力モードへの移行を適切に認識することができる。
【００２４】
本発明のプログラムは、請求項１０に記載の省電力モード切替方法をコンピュータに実行させることを特徴とするものである。
このような本発明によれば、請求項１０に記載の省電力モード切替方法を画像表示装置の制御部に実行させることができ、本発明の利用促進を大幅に図ることができる。
【００２５】
【発明の実施の形態】
以下、本発明の一実施形態を図面に基づいて説明する。
〔１．プロジェクタの主な構成〕
図１は、本発明に係る画像表示装置としてのプロジェクタ１を上方前面側から見た斜視図である。図２は、プロジェクタ１を下方背面側から見た斜視図である。
図１または図２に示すように、プロジェクタ１は、射出成形によって成形された略直方体状の外装ケース２を備える。この外装ケース２は、プロジェクタ１の本体部分を収納する合成樹脂製の筐体であり、アッパーケース２１と、ロアーケース２２とを備え、これらのケース２１，２２は、互いに着脱自在に構成されている。
【００２６】
アッパーケース２１は、図１，２に示すように、プロジェクタ１の上面、側面、前面、および背面をそれぞれ構成する上面部２１Ａ、側面部２１Ｂ、前面部２１Ｃおよび背面部２１Ｄを含んで構成される。
同様に、ロアーケース２２も、図１，２に示すように、プロジェクタ１の下面、側面、前面、および背面をそれぞれ構成する下面部２２Ａ、側面部２２Ｂ、前面部２２Ｃ、および背面部２２Ｄを含んで構成される。
【００２７】
従って、図１，２に示すように、直方体状の外装ケース２において、アッパーケース２１およびロアーケース２２の側面部２１Ｂ，２２Ｂ同士が連続的に接続されて直方体の側面部分２１０が構成され、同様に、前面部２１Ｃ，２２Ｃ同士の接続で前面部分２２０が、背面部２１Ｄ，２２Ｄ同士の接続で背面部分２３０が、上面部２１Ａにより上面部分２４０が、下面部２２Ａにより下面部分２５０がそれぞれ構成される。
【００２８】
図１に示すように、上面部分２４０において、その前方側には操作パネル２３が設けられ、この操作パネル２３の近傍には音声出力用のスピーカ孔２４０Ａが形成されている。
操作パネル２３は、表面に構成された各機能ボタンを押下することにより、各種機能に対応する信号を制御基板５に対して送信する。この機能ボタンは、プロジェクタ１の低消費電力を図るスリープモード機能、プロジェクタ１のクールダウン時の冷却制御機能、投写画像の設定変更機能、出力音声量調節機能、入力画像情報の切替機能等の各種機能を設定する機能設定ボタン２３Ａを備えている。なお、この機能設定ボタン２３Ａの詳細については、後述する。
【００２９】
前方から見て右側の側面部分２１０には、２つの側面部２１Ｂ，２２Ｂを跨る開口２１１が形成されている。ここで、外装ケース２内には、後述するメイン基板５１と、インターフェース基板５２とが設けられており、この開口２１１に取り付けられるインターフェースパネル５３を介して、メイン基板５１に実装された接続部５１Ｂと、インターフェース基板５２に実装された接続部５２Ａとが外部に露出している。これらの接続部５１Ｂ，５２Ａにおいて、プロジェクタ１には外部の電子機器等が接続される。
【００３０】
前面部分２２０において、前方から見て右側で、前記操作パネル２３の近傍には、２つの前面部２１Ｃ，２２Ｃを跨ぐ円形状の開口２２１が形成されている。この開口２２１に対応するように、外装ケース２内部には、投写レンズ４６が配置されている。この際、開口２２１から投写レンズ４６の先端部分が外部に露出しており、この露出部分の一部であるレバー４６Ａを介して、投写レンズ４６のフォーカス操作が手動で行えるようになっている。
【００３１】
前面部分２２０において、前記開口２２１の反対側の位置には、排気口２２２が形成されている。この排気口２２２には、安全カバー２２２Ａが形成されている。
【００３２】
図２に示すように、背面部分２３０において、背面から見た右側には矩形状の開口２３１が形成され、この開口２３１からインレットコネクタ２４が露出するようになっている。
【００３３】
下面部分２５０において、下方から見て右端側の中央位置には矩形状の開口２５１が形成されている。開口２５１には、この開口２５１を覆うランプカバー２５が着脱自在に設けられている。このランプカバー２５を取り外すことにより、図示しない光源ランプの交換が容易に行えるようになっている。
【００３４】
また、下面部分２５０において、下方から見て左側で背面側の隅部には、一段内側に凹んだ矩形面２５２が形成されている。この矩形面２５２には、外部から冷却空気を吸入するための吸気口２５２Ａが形成されている。矩形面２５２には、この矩形面２５２を覆う吸気口カバー２６が着脱自在に設けられている。吸気口カバー２６には、吸気口２５２Ａに対応する開口２６Ａが形成されている。開口２６Ａには、図示しないエアフィルタが設けられており、内部への塵埃の侵入が防止されている。
【００３５】
さらに、下面部分２５０において、後方側の略中央位置にはプロジェクタ１の脚部を構成する後脚２Ｒが形成されている。また、下面部２２Ａにおける前方側の左右の隅部には、同じくプロジェクタ１の脚部を構成する前脚２Ｆがそれぞれ設けられている。つまり、プロジェクタ１は、後脚２Ｒおよび２つ前脚２Ｆにより３点で支持されている。
２つの前脚２Ｆは、それぞれ上下方向に進退可能に構成されており、プロジェクタ１の前後方向および左右方向の傾き（姿勢）を調整して、投写画像の位置調整ができるようになっている。
【００３６】
また、図１，２に示すように、下面部分２５０と前面部分２２０とを跨るように、外装ケース２における前方側の略中央位置には、直方体状の凹部２５３が形成されている。この凹部２５３には、該凹部２５３の下側および前側を覆う前後方向にスライド自在なカバー部材２７が設けられている。このカバー部材２７により、凹部２５３には、プロジェクタ１の遠隔操作を行うための図示しない遠隔操作部としてのリモートコントローラ（リモコン）が収納される。
【００３７】
ここで、図３，４は、プロジェクタ１の内部を示す斜視図である。具体的には、図３は、図１の状態からプロジェクタ１のアッパーケース２１を外した図である。図４は、図３の状態から制御基板５を外した図である。
【００３８】
外装ケース２には、図３，４に示すように、背面部分に沿って配置され、左右方向に延びる電源ユニット３と、この電源ユニット３の前側に配置された平面視略Ｌ字状で光学系としての光学ユニット４と、これらのユニット３，４の上方および右側に配置される制御基板５とを備える。これらの各装置３〜５によりプロジェクタ１の本体が構成されている。
【００３９】
電源ユニット３は、電源３１と、この電源３１の下方に配置された図示しないランプ駆動回路（バラスト）とを含んで構成される。
電源３１は、前記インレットコネクタに接続された図示しない電源ケーブルを通して外部から供給された電力を、前記ランプ駆動回路や制御基板５等に供給するものである。
前記ランプ駆動回路は、光学ユニット４を構成する図３，４では図示しない光源ランプに、電源３１から供給された電力を供給するものであり、前記光源ランプと電気的に接続されている。このようなランプ駆動回路は、例えば、基板に配線することにより構成できる。
【００４０】
電源３１および前記ランプ駆動回路は、略平行に上下に並んで配置されており、これらの占有空間は、プロジェクタ１の背面側で左右方向に延びている。
また、電源３１はおよび前記ランプ駆動回路は、左右側が開口されたアルミニウム等の金属製のシールド部材３１Ａによって周囲を覆われている。
シールド部材３１Ａは、冷却空気を誘導するダクトとしての機能に加えて、電源３１や前記ランプ駆動回路で発生する電磁ノイズが、外部へ漏れないようにする機能も有している。
【００４１】
制御基板５は、図３に示すように、ユニット３，４の上側を覆うように配置されＣＰＵや接続部５１Ｂ等を含むメイン基板５１と、このメイン基板５１の下側に配置され接続部５２Ａを含むインターフェース基板５２とを備える。
この制御基板５では、接続部５１Ｂ，５２Ａを介して入力された画像情報に応じて、メイン基板５１のＣＰＵ等が、後述する光学装置を構成する液晶パネルの制御を行う。また、メイン基板５１のＣＰＵ等は、液晶パネルの制御の他、入力画像信号が無い状態かつ無操作状態が規定時間続いた場合にプロジェクタ１の消費電力の低減を図るスリープモード移行制御、外部から入力された音声情報を所定の伸長処理を施してスピーカ（図示省略）を介して出力する音声情報の制御、スクリーンに表示される画像の補正（台形歪み補正等）を行う画像の制御、冷却ファンの回転数、数、駆動時間等の制御を行う冷却ファンの制御等を行う。
このため、この制御基板５のメイン基板５１には、これら制御を行う制御部５４と、この制御部５４からのデータを記憶する蓄積部５５とを備えている。これら制御部５４および蓄積部５５の詳細については、後述する。
【００４２】
メイン基板５１は、金属製のシールド部材５１Ａによって周囲を覆われている。メイン基板５１は、図３ではわかり難いが、光学ユニット４を構成する上ライトガイド４７２の上端部分４７２Ａ（図４）に当接している。
【００４３】
〔２．光学ユニットの詳細な構成〕
ここで、図５は、光学ユニット４を示す分解斜視図である。図６は、光学ユニット４を模式的に示す図である。
光学ユニット４は、図６に示すように、光源装置４１１を構成する光源ランプ４１６から射出された光束を光学的に処理して画像情報に対応した光学像を形成し、この光学像を拡大して投射するユニットであり、インテグレータ照明光学系４１と、色分離光学系４２と、リレー光学系４３と、光学装置４４と、投写レンズ４６と、これらの光学部品４１〜４４，４６を収納する合成樹脂製のライトガイド４７（図５）とを備える。
【００４４】
インテグレータ照明光学系４１は、光学装置４４を構成する３枚の液晶パネル４４１（赤、緑、青の色光毎にそれぞれ液晶パネル４４１Ｒ，４４１Ｇ，４４１Ｂとする）の画像形成領域をほぼ均一に照明するための光学系であり、光源装置４１１と、第１レンズアレイ４１２と、第２レンズアレイ４１３と、偏光変換素子４１４と、重畳レンズ４１５とを備える。
【００４５】
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。光源ランプ４１６には、高圧水銀ランプを採用している。なお、高圧水銀ランプ以外に、メタルハライドランプやハロゲンランプ等も採用できる。また、リフレクタ４１７には、放物面鏡を採用している。なお、放物面鏡の代わりに、平行化凹レンズおよび楕円面鏡を組み合わせたものを採用してもよい。
【００４６】
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００４７】
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を液晶パネル４４１上に結像させる機能を有する。
【００４８】
偏光変換素子４１４は、第２レンズアレイ４１３と重畳レンズ４１５との間に配置される。このような偏光変換素子４１４は、第２レンズアレイ４１３からの光を１種類の偏光光に変換するものであり、これにより、光学装置４４での光の利用効率が高められている。
【００４９】
具体的に、偏光変換素子４１４によって１種類の偏光光に変換された各部分光は、重畳レンズ４１５によって最終的に光学装置４４の液晶パネル４４１上にほぼ重畳される。偏光光を変調するタイプの液晶パネル４４１を用いたプロジェクタ１では、１種類の偏光光しか利用できないため、他種類のランダムな偏光光を発する光源ランプ４１６からの光束の略半分が利用されない。このため、偏光変換素子４１４を用いることにより、光源ランプ４１６から射出された光束を全て１種類の偏光光に変換し、光学装置４４での光の利用効率を高めている。なお、このような偏光変換素子４１４は、たとえば特開平８−３０４７３９号公報に紹介されている。
【００５０】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
【００５１】
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００５２】
この際、色分離光学系４２のダイクロイックミラー４２１では、インテグレータ照明光学系４１から射出された光束のうち、赤色光成分と緑色光成分とは透過し、青色光成分は反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｒの光入射側に設けられたフィールドレンズ４１８も同様である。
【００５３】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路の長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００５４】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される画像形成部としての液晶パネル４４１Ｒ，４４１Ｇ，４４１Ｂと、各液晶パネル４４１Ｒ，４４１Ｇ，４４１Ｂの後段に配置される射出側偏光板４４３と、色合成光学系としてのクロスダイクロイックプリズム４４４とを備える。
【００５５】
液晶パネル４４１Ｒ，４４１Ｇ，４４１Ｂは、例えば、ポリシリコンＴＦＴをスイッチング素子として用いたものである。
光学装置４４において、色分離光学系４２で分離された各色光は、これら３枚の液晶パネル４４１Ｒ，４４１Ｇ，４４１Ｂ、入射側偏光板４４２、および射出側偏光板４４３によって画像情報に応じて変調されて光学像を形成する。
【００５６】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４１８に貼り付けてもよい。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４４に貼り付けてもよい。
これらの入射側偏光板４４２および射出側偏光板４４３は、互いの偏光軸の方向が直交するように設定されている。
【００５７】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００５８】
以上説明した液晶パネル４４１、射出側偏光板４４３およびクロスダイクロイックプリズム４４４は、一体的にユニット化された光学装置本体４５として構成されている。図７は、光学装置本体４５を示す斜視図である。
光学装置本体４５は、図７に示すように、クロスダイクロイックプリズム４４４と、このクロスダイクロイックプリズム４４４の上面に固定された合成樹脂製の固定板４４７と、クロスダイクロイックプリズム４４４の光束入射端面に取り付けられ、射出側偏光板４４３を保持する金属製の保持板４４６と、この保持板４４６の光束入射側に取り付けられた透明樹脂製の４つのピン部材４４５によって保持される液晶パネル４４１（４４１Ｒ，４４１Ｇ，４４１Ｂ）とを備える。
保持板４４６と液晶パネル４４１との間には、所定間隔の空隙が設けられており、この空隙部分に冷却空気が流れるようになっている。
光学装置本体４５は、固定板４４７に形成された４つの腕部４４７Ａの丸穴４４７Ｂを介して、下ライトガイド４７１にねじ止め固定される。
【００５９】
投写レンズ４６は、光学装置４４のクロスダイクロイックプリズム４４４で合成されたカラー画像を拡大して投写するものである。
ライトガイド４７は、図５に示すように、各光学部品４１２〜４１５，４１８，４２１〜４２３，４３１〜４３４，４４２を上方からスライド式に嵌め込む溝部が形成された下ライトガイド４７１と、下ライトガイド４７１の上側開口を閉塞する蓋状の上ライトガイド４７２とを備えて構成される。
【００６０】
図５に示すように、平面視略Ｌ字状の下ライトガイド４７１の一端側には、光源装置４１１が収容されている。他端側には、下ライトガイド４７１に形成されたヘッド部４７３を介して、投写レンズ４６がねじ止め固定されている。
【００６１】
また、図５に示すように、下ライトガイド４７１に収納された光学装置本体４５は、２つのばね部材５０を挟んだ状態で下ライトガイド４７１にねじ止め固定される。この２つのばね部材５０は、フィールドレンズ４１８および入射側偏光板４４２を下方へと付勢して位置を特定する。
【００６２】
〔３．制御部の構造〕
図８は、制御部５４の構造を模式的に示すブロック図である。
図８に示すように、前述した操作パネル２３における機能設定ボタン２３Ａは、メイン基板５１上に実装された制御部５４と電気的に接続している。また、プロジェクタ１は、外部機器であるパーソナルコンピュータ１００と接続部５２Ａにて接続し、パーソナルコンピュータ１００から出力されるＰＣデータは、ビデオセレクタ５６、および、Ａ／Ｄコンバータ５７を介して制御部５４に入力される。ここで、この接続部５２Ａは、ＵＳＢ端子、ＲＳ−２３２Ｃ端子等を採用することができる。
【００６３】
先ず、操作パネル２３（図１）における機能設定ボタン２３Ａについて説明する。
機能設定ボタン２３Ａは、プロジェクタ１の電源オン・オフ制御を実施するとともに、プロジェクタ１の各種機能を設定し、制御部５４に信号を送信する。この機能設定ボタン２３Ａは、図１に示すように、電源オン・オフ機能を有するパワーボタン２３Ａ１と、プロジェクタ１の各種機能を設定する設定条件を選択する選択ボタン２３Ａ２と、この選択ボタン２３Ａ２にて選択された設定条件を決定する決定ボタン２３Ａ３とを備えて構成されている。
【００６４】
パワーボタン２３Ａ１は、プロジェクタ１の電源オン・オフ制御を実施する。また、プロジェクタ１の起動時に、１度押下することで、メイン基板５１上に実装された後述する蓄積部５５内に格納されたプロジェクタ１の各種機能を選択する機能設定画面を呼び出すための操作信号を制御部５４に送信する。
そして、このパワーボタン２３Ａ１の押下により、スクリーン上に機能設定画面が表示される。この機能設定画面は、図９に示すように、プロジェクタ１の各種機能項目と設定項目とに分かれて表示される。
また、再度押下することで、機能設定画面におけるプロジェクタ１の各種機能の設定を終了し、光源ランプ４１６を消灯するための信号を制御部５４に送信する。
さらに、操作パネル２３上の機能設定ボタン以外のボタンを押下することで、機能設定画面におけるプロジェクタ１の各種機能の設定を終了し、通常画面に戻る。
【００６５】
選択ボタン２３Ａ２は、機能設定画面に同時に表示され、プロジェクタ１の各種機能を設定する設定条件を指示するカーソル（図９）を上下または左右に移動させる操作信号を制御部５４に送信する。また、このカーソルの指示により、表示が反転し、選択の決定は決定ボタン２３Ａ３の押下により実施される。
また、選択が決定された後、パワーボタン２３Ａ１を再度押下すると、決定ボタン２３Ａ３により決定した設定条件がメイン基板５１上に実装された後述する蓄積部５５内に記録される。
【００６６】
決定ボタン２３Ａ３は、選択ボタン２３Ａ２により指示したプロジェクタ１の各種機能を設定する設定条件を決定する。具体的に、この決定ボタン２３Ａ３を押下することで、機能設定画面（図９）の各項目の左に表示される項目選択部が反転するようになっている。
なお、図示しない遠隔操作部としてのリモートコントローラにも、上記パワーボタン２３Ａ１、選択ボタン２３Ａ２、および、決定ボタン２３Ａ３と同一の機能ボタンが設置されている。このため、リモートコントローラから制御部５４に信号を送信し、プロジェクタ１の機能設定を行うことができる。
【００６７】
制御部５４は、メイン基板５１上に実装され、プロジェクタ１全体の動作を制御する。この制御部５４は、機能設定ボタン２３Ａからの操作信号を検出し、設定された各種機能に基づいてプロジェクタ１全体の動作を制御する。
この制御部５４は、ＣＰＵ等から構成され、図示しないＲＯＭ等に格納される制御プログラムを読み込んで実行する。この制御部５４は、機能設定手段５４０と、液晶パネル制御手段５４１と、音声情報制御手段５４２と、画像制御手段５４３と、クールダウンモード制御手段５４４と、スリープモード制御手段５４５とを備えて構成されている。
【００６８】
機能設定手段５４０は、機能設定ボタン２３Ａの操作信号を検出し、プロジェクタ１の各種機能設定を行う。この機能設定手段５４０は、プロジェクタ１の起動時におけるパワーボタンの押下に伴って送信される操作信号に基づいて、蓄積部５５に予め記憶された機能設定画面を読み込む。そして、液晶パネル４４１を制御して機能設定画面をスクリーン上に表示し、選択を促す。この機能設定手段５４０は、映像情報選択手段５４０Ａと、音声出力選択手段５４０Ｂと、画像設定選択手段５４０Ｃと、クールダウンモード選択手段５４０Ｄと、スリープモード選択手段５４０Ｅと、状態画像選択手段５４０Ｆと、初期化手段５４０Ｇとを備えて構成されている。
【００６９】
映像情報選択手段５４０Ａは、機能設定ボタン２３Ａの操作信号を検出し、スクリーン上に投写される映像の設定を行う。具体的には、機能設定画面（図９）の機能項目における映像の項目において、スクリーン上に投写される映像の色、コントラスト等の設定を行う。
【００７０】
音声出力選択手段５４０Ｂは、機能設定ボタン２３Ａの操作信号を検出し、スピーカ（図示省略）から出力される音声の設定を行う。具体的には、機能設定画面（図９）の機能項目における音声の項目において、スピーカから出力される音声の音量、音質等の設定を行う。
【００７１】
画像設定選択手段５４０Ｃは、機能設定ボタン２３Ａの操作信号を検出し、スクリーンに表示される画像のトラッキング、表示位置、同期等の設定を行う。例えば、表示位置に関しては、機能設定画面（図９）の機能項目の設定において、設定項目の台形補正、自動台形補正に関しての設定を行う。
【００７２】
クールダウンモード選択手段５４０Ｄは、機能設定ボタン２３Ａの操作信号を検出し、光源ランプ４１６の消灯後のクールダウン時における冷却ファンの冷却条件の設定を行う。具体的に、冷却条件は、機能設定画面（図９）の機能項目の設定において、設定項目のクールダウンモードに相当する。このクールダウンモードは、高速および低速の２つの項目が設定されている。
【００７３】
スリープモード選択手段５４０Ｅは、機能設定ボタン２３Ａの操作信号を検出し、スリープモード制御手段５４５によるスリープモード制御条件の選択を促す。また、スリープモード制御手段５４５によるスリープモード移行における許否の選択を促す。このスリープモード選択手段５４０Ｅは、実施許否選択手段５４０Ｅ１と、設定時間選択手段５４０Ｅ２と、移行許否選択手段５４０Ｅ３とを備えて構成される。
【００７４】
実施許否選択手段５４０Ｅ１は、スリープモード制御手段５４５によるスリープモードへの切り替え実施の有無の選択を促す。具体的に、この実施許否選択手段５４０Ｅ１は、ユーザが図９に示す機能設定画面において、カーソルを「スリープモード」に合わせて決定ボタン２３Ａ３を押すと動作し、ＯＮまたはＯＦＦの選択をユーザに促す。
【００７５】
設定時間選択手段５４０Ｅ２は、スリープモード制御手段５４５によってスリープモードに切り替える時間の設定を促す。具体的に、この設定時間選択手段５４０Ｅ２は、ユーザが図９に示す機能設定画面において、カーソルを「スリープモード時間」に合わせて決定ボタン２３Ａ３を押すと動作し、−または＋により設定時間の選択をユーザに促す。ここで、このスリープモード時間は、入力される画像信号が無い状態、かつ、プロジェクタ１が無操作状態（操作パネル２３におけるボタンの押下が実施されない状態）の継続時間であり、この設定された時間内に上記状態が継続した場合に、スリープモード制御手段５４５は、スリープモードへの切り替えを実施する。
【００７６】
移行許否選択手段５４０Ｅ３は、スリープモード制御手段５４５によるスリープモードへの移行の許否の選択を促す。具体的な図示は省略するが、スリープモード制御手段５４５からの信号に基づいて、パーソナルコンピュータ１００に移行予告信号を出力し、パーソナルコンピュータ１００のモニタ上に「あと＊＊秒で、スリープモードに移行します。よろしいですか？　Ｙｅｓ　Ｎｏ」というメッセージを表示させる。ここで、移行許否選択手段５４０Ｅ３が、ＹｅｓまたはＮｏの選択を促し、パーソナルコンピュータ１００において選択することで、このメッセージの表示後のスリープモードへの移行の許否が設定される。
【００７７】
状態画像選択手段５４０Ｆは、制御部５４に入力される画像信号が所定時間無い場合に、画像信号の入力が無い状態（ノーシグナル状態）の表示の選択を促す。ここでは、黒色または青色の表示、ロゴ表示、および、動画の表示を選択することができるようになっている。
【００７８】
上述した映像情報選択手段５４０Ａ、音声出力選択手段５４０Ｂ、画像設定選択手段５４０Ｃ、クールダウンモード選択手段５４０Ｄ、スリープモード選択手段５４０Ｅ、状態画像選択手段５４０Ｆにて設定された各種設定項目は、後述する蓄積部５５にデータとして記録される。
【００７９】
初期化手段５４０Ｇは、上述のように設定した各種設定項目を全て初期化（初期設定値）する。すなわち、蓄積部５５に記録された各種設定項目を初期設定値に置換する。
【００８０】
ところで、パーソナルコンピュータ１００から出力されるＰＣデータには、複数の画像信号が含まれており、ビデオセレクタ５６は、制御部５４から与えられる選択信号に応じてその中の１つを選択して出力する。このビデオセレクタ５６から出力される画像信号には、赤（Ｒ）、緑（Ｇ）、青（Ｂ）の３色のアナログ画像信号と、水平同期信号および垂直同期信号とが含まれている。このような画像信号は、コンポーネント信号と呼ばれる。
【００８１】
Ａ／Ｄコンバータ５７は、ビデオセレクタ５６から出力される３つのアナログ画像信号をＡ／Ｄコンバータ５７内のＡＤ変換回路によってそれぞれデジタル画像信号に変換する。そして、このデジタル画像信号は、制御部５４を介して、蓄積部５５に一時的に記録される。なお、この記録されるデジタル画像信号はパーソナルコンピュータ１００からの出力に応じて適宜、書き換えられる。
すなわち、パーソナルコンピュータ１００から出力されるＰＣデータが同一である場合には、パーソナルコンピュータ１００からＰＣデータは出力されず、制御部５４は蓄積部５５に記録された画像信号に基づいて処理を実施する。
【００８２】
液晶パネル制御手段５４１は、上記のように外部機器から入力され、蓄積部５５に記録された画像信号を読み出して所定の処理を施し、この処理を施した画像信号に応じて液晶パネル４４１を制御する。また、映像情報選択手段５４０Ａにて設定され、蓄積部５５に記録された映像の色、コントラスト等に基づくデータを読み込み、このデータに基づいて液晶パネル４４１を制御し、映像の調整を行う。この液晶パネル制御手段５４１は、ＣＰＵやメモリ等の回路素子が実装された画像信号処理回路等で構成されている。
【００８３】
音声情報制御手段５４２は、外部から入力される音声情報に所定の伸長処理を施し、音声信号としてアンプ（図示省略）に出力する。そして、アンプは、入力した音声信号を増幅し、スピーカを介して音声を出力する。また、この音声情報制御手段５４２は、音声出力選択手段５４０Ｂにて設定され、蓄積部５５に記録された音量、音質等に基づくデータを読み込み、このデータに基づいてアンプに出力する音声信号を制御し、音声の調整を行う。
【００８４】
画像制御手段５４３は、例えば、接続したパーソナルコンピュータ１００のモードを判別し、画像のトラッキング、表示位置、同期等について画像を最適な状態に調整する。また、画像設定選択手段５４０Ｃにて設定され、蓄積部５５に記録された画像のトラッキング、表示位置、同期等に基づくデータを読み込み、このデータに基づいて画像の調整を行う。例えば、表示位置に基づくデータとして台形補正または自動台形補正を読み込んだ際には、プロジェクタ１の左右の前脚２Ｆを制御し、スクリーン上に表示される画像の台形歪み補正を行う。
【００８５】
クールダウンモード制御手段５４４は、光源ランプ４１６を消灯し、プロジェクタ１内の冷却制御を行う。具体的に、機能設定ボタン２３Ａの操作信号、または、スリープモード制御手段５４５によるスリープモードへの切り替えに伴う信号を検出し、光源ランプ４１６を消灯する。そして、クールダウンモード選択手段５４０Ｄにて設定された冷却条件に基づいて図示しない冷却ファンを駆動制御し、プロジェクタ１内の冷却を実施する。
また、機能設定ボタン２３Ａの操作信号に応じてクールダウンモードに移行した際には、プロジェクタ１内の冷却の後、プロジェクタ１の電源３１がＯＦＦされる。一方、スリープモード制御手段５４５によるスリープモードへの切り替えに伴う信号に応じてクールダウンモードに移行した際には、液晶パネル制御手段５４１から液晶パネル４４１への駆動電圧が遮断され、スタンバイ状態となる。
【００８６】
スリープモード制御手段５４５は、外部機器から入力される画像信号が無い状態かつプロジェクタ１の無操作状態（操作パネル２３におけるボタンの押下が実施されない状態等）が所定時間続いた場合に、プロジェクタ１の消費電力を低減させるスリープモードに移行する。このスリープモード制御手段５４５は、計時手段５４５Ｄと、省電力モード切替手段５４５Ａと、省電力モード移行予告手段５４５Ｂと、入力画像信号擬制手段５４５Ｃとを備えて構成されている。
【００８７】
計時手段５４５Ｄは、外部機器から入力される画像信号が無い状態およびプロジェクタ１の無操作状態の時間を計測する。具体的に、計時手段５４５Ｄは、パーソナルコンピュータ１００から出力される画像信号が蓄積部５５に記録されてから計測を開始する。そして、蓄積部５５に記録された画像信号が更新された場合、または、プロジェクタ１の操作パネル２３におけるボタンの押下が実施された場合には、計測時間を初期化する。
【００８８】
省電力モード切替手段５４５Ａは、設定時間選択手段５４０Ｅ２にて選択され、蓄積部５５に記録された設定時間を読み込む。そして、計時手段５４５Ｄを常時、監視し、この設定時間まで計時手段５４５Ｄが計測した場合に、プロジェクタ１をスリープモード（省電力モード）に切り替える。このスリープモードへの切り替えの際には、省電力モード切替手段５４５Ａは、クールダウンモード制御手段５４４に信号を出力する。
【００８９】
省電力モード移行予告手段５４５Ｂは、省電力モード切替手段５４５Ａによるスリープモードへの切り替え前に、スリープモードへの移行を予告する。具体的に、省電力モード移行予告手段５４５Ｂは、設定時間選択手段５４０Ｅ２にて選択され、蓄積部５５に記録された設定時間を読み込む。そして、この設定時間から予め設定された時間を差し引くことで、予告時間を算出し、計時手段５４５Ｄによる計測時間が、この算出した予告時間を経過した段階で、移行許否選択手段５４０Ｅ３に信号を出力する。そしてまた、移行許否選択手段５４０Ｅ３が、この信号に応じて、移行予告信号をパーソナルコンピュータ１００に出力する。そして、パーソナルコンピュータ１００のモニタ上に「あと＊＊秒で、スリープモードに移行します。よろしいですか？　Ｙｅｓ　Ｎｏ」というメッセージを表示させる。
【００９０】
入力画像信号擬制手段５４５Ｃは、省電力モード移行予告手段５４５Ｂから出力される移行予告信号を取得する。また、パーソナルコンピュータ１００から出力され、蓄積部５５に記録された画像信号を読み込む。そして、これら取得した移行予告信号および画像信号を対比する。この対比した結果、両者が一致した場合に、パーソナルコンピュータ１００からの画像信号が入力されていないものと擬制する。
【００９１】
状態画像表示手段５４６は、パーソナルコンピュータ１００から入力される画像信号が所定時間無い場合に、状態画像選択手段５４０Ｆにて選択され、蓄積部５５に記録された画像信号の入力が無い状態を示すノーシグナル画像を読み込む。そして、このノーシグナル画像に応じた画像信号を液晶パネル４４１に出力する。
例えば、状態画像選択手段５４０Ｆにて動画が選択された場合には、状態画像表示手段５４６は、図１０に示すように、液晶パネル４４１に画像信号を出力し、投写画面上に「Ｎｏ　Ｓｉｇｎａｌ」というメッセージ表示が上下左右に移動するようになっている。
また、このノーシグナル画像の表示は、プロジェクタ１の操作パネル２３の操作により解除される。
【００９２】
蓄積部５５は、制御部５４から出力されるデータを記憶するとともに、予めユーザ等により設定された機能設定画面を記憶する。この蓄積部５５は、フレームメモリ５５Ａと、選択画面記憶手段５５Ｂと、設定条件記録手段５５Ｃとを備えて構成されている。
【００９３】
フレームメモリ５５Ａは、書換可能であるＳＲＡＭ（Ｓｔａｔｉｃ　Ｒａｎｄｏｍ　Ａｃｃｅｓｓ　Ｍｅｍｏｒｙ）等で構成され、上述したように、外部機器から出力される画像信号を記録する。このように、外部機器から出力される画像信号は、常に、このフレームメモリ５５Ａに一時的に記録され、この記録された画像信号に基づいて液晶パネル制御手段５４１は、液晶パネル４４１を駆動制御している。
【００９４】
選択画面記憶手段５５Ｂは、ＲＯＭ（Ｒｅａｄ　Ｏｎｌｙ　Ｍｅｍｏｒｙ）等で構成され、設定された機能設定画面（図９）を記憶する。
【００９５】
設定条件記録手段５５Ｃは、電気的に書換可能であるフラッシュメモリ等で構成され、機能設定手段５４０にて設定された情報がデータとして記録される。液晶パネル制御手段５４１、音声情報制御手段５４２、画像制御手段５４３、クールダウンモード制御手段５４４、スリープモード制御手段５４５、および、状態画像表示手段５４６は、この記録されたデータを読み込み、このデータに基づいてプロジェクタ１の各種機能を制御する。
【００９６】
〔４．省電力モード切替方法〕
次に省電力モード切替方法について、図８、および、図１１に示すフローチャートを参照して説明する。なお、ここでは、プロジェクタ１の起動時、すなわち、光源ランプ４１６の点灯時であることを前提として説明する。
（Ａ）パーソナルコンピュータ１００からＰＣデータが出力され、ビデオセレクタ５６、Ａ／Ｄコンバータ５７、および、制御部５４を介して、蓄積部５５のフレームメモリ５５Ａに画像信号が記録される（ステップＳ１）。
【００９７】
（Ｂ）計時手段５４５Ｄは、フレームメモリ５５Ａに画像信号が記録されたと同時に計測を開始する（ステップＳ２）。
（Ｃ）ここで、パーソナルコンピュータ１００からＰＣデータが継続して出力され、フレームメモリ５５Ａに記録される画像信号が更新される場合には、このフレームメモリ５５Ａの更新に応じて、再度、計時手段５４５Ｄは計測を開始する（ステップＳ３）。
【００９８】
（Ｄ）ステップＳ３において、計時手段５４５Ｄが計測を開始してから、フレームメモリ５５Ａに記録される画像信号が更新されず、この状態が所定時間経過すると、状態画像表示手段５４６は、液晶パネル４４１に画像信号を出力し、ノーシグナル画像（図１０）を表示させる（ステップＳ４）。
なお、状態画像表示手段５４６は、状態画像選択手段５４０Ｆにて選択され、蓄積部５５の設定条件記録手段５５Ｃに記録された設定条件に基づいて、ノーシグナル画像に応じた画像信号を液晶パネル４４１に出力する。
【００９９】
（Ｅ）また、ステップＳ４において、ノーシグナル画像（図１０）が表示されている状態で、プロジェクタ１の操作パネル２３を操作した場合には、この操作パネル２３の操作に応じて、再度、ステップＳ２に戻り、計時手段５４５Ｄは計測を開始する（ステップＳ５）。
なお、この操作パネル２３の操作により、ノーシグナル画像の表示は解除される。
【０１００】
（Ｆ）一方、ステップＳ４において、ノーシグナル画像（図１０）が表示されている状態で、プロジェクタ１の操作パネル２３が無操作である場合には、省電力モード移行予告手段５４５Ｂは、計時手段５４５Ｄにて計測された計測時間が予告時間を経過したかどうかを判定する（ステップＳ６）。
このステップＳ６において、計測時間が予告時間を経過していない場合には、計時手段５４５Ｄによる計測が継続される。
【０１０１】
（Ｇ）このステップＳ６において、計測時間が予告時間を経過している場合には、省電力モード移行予告手段５４５Ｂは、移行許否選択手段５４０Ｅ３に信号を出力し、移行許否選択手段５４０Ｅ３は、パーソナルコンピュータ１００に移行予告信号を出力する。そして、パーソナルコンピュータ１００は、この移行予告信号に応じて、モニタ上に「あと＊＊秒で、スリープモードに移行します。よろしいですか？　Ｙｅｓ　Ｎｏ」というメッセージを表示する（省電力モード移行予告ステップ：ステップＳ７）。
【０１０２】
通常、このステップＳ７において、パーソナルコンピュータ１００のモニタ上にメッセージが表示された場合には、このメッセージに対応した画像信号がビデオセレクタ５６およびＡ／Ｄコンバータ５７を介して制御部５４に入力され、フレームメモリ５５Ａに記録される。すなわち、計時手段５４５Ｄは再度計測を開始し、計時手段５４５Ｄによる計測時間はスリープモードへ切り替える設定時間に満たない。したがって、スリープモードへの切り替えが拒絶されることになる。
【０１０３】
（Ｈ）そこで、このステップＳ７の後、入力画像信号擬制手段５４５Ｃは、パーソナルコンピュータ１００から出力され、制御部５４に入力する画像信号と省電力モード移行予告手段５４５Ｂから出力される移行予告信号とを対比する（ステップＳ８）。
そして、入力した画像信号と移行予告信号との対比の結果、両者が異なる場合には、再度、ステップＳ１に戻り、入力した画像信号のフレームメモリ５５Ａへの記録が実施される。
【０１０４】
（Ｉ）一方、ステップＳ８において、入力した画像信号と移行予告信号との対比の結果、両者が同一である場合には、入力した画像信号をフレームメモリ５５Ａへ記録することを拒絶する（ステップＳ９）。
この結果、計時手段５４５Ｄは計測を継続し、スリープモードへの切り替えが可能となる。
【０１０５】
（Ｊ）そして、ステップＳ７において、パーソナルコンピュータ１００のモニタ上に表示されたメッセージに対して、ユーザがパーソナルコンピュータ１００を操作し、スリープモードへの移行の許否を選択する（ステップＳ１０）。
このステップＳ１０において、スリープモードへの移行を拒絶する選択をした場合には、再度、ステップＳ２に戻り、計時手段５４５Ｄの計測が開始される。
【０１０６】
（Ｋ）ステップＳ１０において、スリープモードへの移行を許可する選択をした場合には、移行許否選択手段５４０Ｅ３は、省電力モード切替手段５４５Ａに信号を送る。そして、省電力モード切替手段５４５Ａは、計時手段５４５Ｄによる計測時間が設定時間を経過すると、クールダウンモード制御手段５４４に信号を出力し、プロジェクタ１をスリープモードに切り替える（省電力モード切替ステップ：ステップＳ１１）。
【０１０７】
〔５．実施形態の効果〕
上述のような第１実施形態によれば、次のような効果がある。
（１）プロジェクタ１を構成する制御部５４は、省電力モード切替手段５４５Ａおよび省電力モード移行予告手段５４５Ｂを備え、省電力モード移行予告手段５４５Ｂは、省電力モード切替手段５４５Ａによる切り替え前に、スリープモードへの移行を予告する。このことにより、ユーザがこのプロジェクタ１を用い、パーソナルコンピュータ１００のＰＣデータに基づいてプレゼンテーションを行っている際に、省電力モード切替手段５４５Ａによるプロジェクタ１のスリープモード切替前に、パーソナルコンピュータ１００に移行予告信号を出力し、パーソナルコンピュータ１００のモニタ上にメッセージを表示することができる。したがって、ユーザは、このメッセージを確認することで、スリープモードへの移行を認識することができる。
また、このメッセージを確認することにより、スリープモードに移行した場合でも、ユーザがプロジェクタ１が故障したと判断することを回避することができる。
【０１０８】
（２）制御部５４は、移行拒否選択手段を備え、この移行拒否選択手段は、省電力モード移行予告手段５４５Ｂからの信号を入力し、この入力した信号に応じて、パーソナルコンピュータ１００に移行予告信号を出力し、パーソナルコンピュータ１００のモニタ上でスリープモードへの移行の許可または拒否の選択を促す。このことにより、ユーザがこのプロジェクタ１を用い、パーソナルコンピュータ１００のＰＣデータに基づいてプレゼンテーションを行っている際に、省電力モード移行予告手段５４５Ｂによる移行予告によってスリープモードへの移行を認識した後、プレゼンテーションを継続する場合には、パーソナルコンピュータ１００を操作してスリープモードへの移行を拒否することができる。一方、プレゼンテーションを終了する場合には、スリープモードへの移行を許可することで、プロジェクタ１の電力消費を効率的に低減することができる。
【０１０９】
（３）制御部５４は、入力画像信号擬制手段５４５Ｃを備え、この入力画像信号擬制手段５４５Ｃは、省電力モード移行予告手段５４５Ｂによる移行予告信号と、パーソナルコンピュータ１００から出力され、制御部５４に入力した画像信号とを対比し、両者が一致したら、この画像信号が入力されていないと擬制する。すなわち、この画像信号をフレームメモリ５５Ａに記録しないようにする。
したがって、省電力モード移行予告手段５４５Ｂからパーソナルコンピュータ１００への移行予告信号の出力に伴って生じるスリープモードへの移行の拒絶を回避することができる。
【０１１０】
（４）制御部５４は、設定時間選択手段５４０Ｅ２と計時手段５４５Ｄとを備えていることにより、設定時間選択手段５４０Ｅ２は、スリープモード移行に関する設定時間の選択を促す。そして、計時手段５４５Ｄによる計測した時間が、設定時間選択手段５４０Ｅ２にて選択された設定時間を経過した際に、省電力モード切替手段５４５Ａは、適切な時間でスリープモードに切り替えることができる。また、省電力モード移行予告手段５４５Ｂは、この設定時間に基づいて適切な時間にスリープモードへの移行する予告を行うことができる。
したがって、ユーザによるプレゼンテーションを効率的に実施することができるとともに、ユーザは、スリープモードへと移行することを適切な時間で認識することができる。
【０１１１】
（５）制御部５４は、状態画像表示手段５４６を備えていることにより、パーソナルコンピュータ１００から入力される画像信号が所定時間無い場合に、蓄積部５５に記録された画像信号の入力が無い状態を示すノーシグナル画像を読み込み、液晶パネル４４１にノーシグナル画像を形成表示させることができる。したがって、液晶パネル４４１に継続して同一の光学像を形成させることによる液晶パネル４４１の劣化を回避することができる。
【０１１２】
（６）制御部５４は、実施許否選択手段５４０Ｅ１を備えていることにより、省電力モード切替手段５４５Ａによるスリープモードへの切替を実施するか否かを選択することができる。したがって、実施許否選択手段５４０Ｅ１がスリープモードへの切替を実施するか否かの選択を促すことで、予めプロジェクタ１を長期間使用することが分かっている場合には、省電力モード切替手段５４５Ａによるスリープモードへの切替の実施をしないように選択することができる。
【０１１３】
〔６．実施形態の変形〕
なお、本発明は前記実施形態に限定されるものではなく、本発明の目的を達成できる範囲での変形、改良は、本発明に含まれるものである。
前記実施形態では、プロジェクタ１がパーソナルコンピュータ１００と接続されている構成を説明したが、これに限らず、ＰＤＡ（Ｐｅｒｓｏｎａｌ　Ｄｉｇｉｔａｌ　Ａｓｓｉｓｔａｎｔ）、テレビ、ビデオレコーダ、ビデオカメラ等の外部機器に接続してもよい。すなわち、省電力モード移行予告手段５４５Ｂによる移行予告信号は、これら外部機器に出力され、これら外部機器においてスリープモードへの移行の予告が行われる。
【０１１４】
前記実施形態では、省電力モード移行予告手段５４５Ｂは、スリープモードへの移行の予告をパーソナルコンピュータ１００のモニタ上にメッセージ表示するように構成されていたが、これに限らない。
例えば、図１２に示すように、プロジェクタ１の上面部分２４０に状態表示部２４０Ｂを設け、省電力モード移行予告手段５４５Ｂがこの状態表示部２４０Ｂにスリープモードへの移行の予告をメッセージ表示するように構成してもよい。
【０１１５】
さらに、具体的な図示は省略するが、遠隔操作部としてのリモートコントローラにこの状態表示部２４０Ｂを設け、省電力モード移行予告手段５４５Ｂによる移行予告信号をこの状態表示部２４０Ｂに送信し、この状態表示部２４０Ｂにスリープモードへの移行の予告をメッセージ表示させるように構成してもよい。
この状態表示部２４０Ｂとしては、液晶や有機ＥＬ（ｅｌｅｃｔｏｒｏｌｕｍｉｎｅｓｃｅｎｃｅ）、ＰＤＰ（Ｐｌａｓｍａ　Ｄｉｓｐｌａｙ　Ｐａｎｅｌ）、ＣＲＴ（Ｃａｔｈｏｄｅ−Ｒａｙ　Ｔｕｂｅ）などを採用することができる。
【０１１６】
特に、リモートコントローラに状態表示部２４０Ｂが設けられている場合には、プロジェクタ１およびパーソナルコンピュータ１００から離間した位置において、スリープモードへの移行の予告を認識することができ、さらに、リモートコントローラの操作により、スリープモードへの移行の許否を選択することができる。
【０１１７】
さらにまた、省電力モード移行予告手段５４５Ｂによる移行予告信号を液晶パネルに出力し、液晶パネルにスリープモードへの移行の予告をメッセージ表示させるように構成してもよい。このような構成では、ユーザは、スリープモードへの移行をスクリーンの投写画像による大画面表示により確実に認識することができる。
【０１１８】
また、この液晶パネルに移行予告信号を出力する場合、メッセージ表示に限らず、状態画像表示手段５４６によって表示させたノーシグナル画像を点滅するように構成してもよい。
さらに、計時手段５４５Ｄにより計測する時間に基づいて、スリープモードへの移行の予告からスリープモードへの切替までの時間をカウントダウンさせるように構成してもよい。
【０１１９】
前記実施形態では、制御部５４は、入力画像信号擬制手段５４５Ｃを備え、移行予告信号および画像信号を対比し、両者が一致した場合に、パーソナルコンピュータ１００からの画像信号が入力されていないものと擬制していたが、これに限らない。例えば、パーソナルコンピュータ１００等の外部機器に、入力した移行予告信号に応じた画像信号をプロジェクタ１に出力しないような手段を設けてもよい。
【０１２０】
前記実施形態では、設定時間選択手段５４０Ｅ２が、スリープモードへの切替に関する設定時間の選択を促す構成を説明したが、これに限らない。例えば、省電力モード移行予告手段５４５Ｂによるスリープモードへの移行の予告時間を設定できるように構成してもよい。
【０１２１】
前記実施形態では、省電力モード移行予告手段５４５Ｂは、移行許否選択手段５４０Ｅ３を介して、移行予告信号を出力するように構成しているが、これに限らず、省電力モード移行予告手段５４５Ｂから移行予告信号を出力するように構成してもよい。この場合、例えば、パーソナルコンピュータ１００のモニタには、「あと＊＊秒で、スリープモードに移行します。」、または、「あと＊＊秒で、ランプを消灯します。」等のメッセージが表示される。
【０１２２】
前記実施形態では、３つの液晶パネル４４１を用いたプロジェクタ１の例のみを挙げたが、本発明は、１つの液晶パネルのみを用いたプロジェクタ、２つの液晶パネルを用いたプロジェクタ、あるいは、４つ以上の液晶パネルを用いたプロジェクタにも適用可能である。
【０１２３】
前記実施形態では、液晶パネル４４１を用いていたが、マイクロミラーを用いたデバイスなど、液晶以外を用いてもよい。
前記実施形態では、光入射面と光射出面とが異なる透過型の液晶パネル４４１を用いていたが、光入射面と光射出面とが同一となる反射型の液晶パネルを用いてもよい。
【０１２４】
前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【０１２５】
【発明の効果】
本発明によれば、画像表示装置の省電力モードへの移行の予告を適切に実施させ、省電力モードを効率的に機能させることができるという効果がある。
【図面の簡単な説明】
【図１】本実施形態に係る画像表示装置としてのプロジェクタを上方前面側から見た全体斜視図である。
【図２】前記実施形態におけるプロジェクタを後方背面側から見た全体斜視図である。
【図３】前記実施形態におけるプロジェクタの内部を示す斜視図である。具体的には、図１の状態からプロジェクタのアッパーケースを外した図である。
【図４】前記実施形態におけるプロジェクタの内部を示す斜視図である。具体的には、図３の状態から制御基板を外した図である。
【図５】前記実施形態における光学ユニットを示す分解斜視図である。
【図６】前記実施形態における光学ユニットを模式的に示す図である。
【図７】前記実施形態における光学装置本体を下方側から見た斜視図である。
【図８】前記実施形態における制御部の構造を模式的に示したブロック図である。
【図９】前記実施形態における機能設定画面を示す図である。
【図１０】前記実施形態における状態画像表示手段による表示画像を示す図である。
【図１１】前記実施形態における省電力モード切替方法を説明するフローチャートである。
【図１２】前記実施形態の変形例を示す図である。
【符号の説明】
１　プロジェクタ（画像表示装置）
５４　制御部
１００　パーソナルコンピュータ（外部機器）
２４０Ｂ　状態表示部
４４１　液晶パネル（画像形成部）
５４０Ｅ２　設定時間選択手段
５４０Ｅ３　移行許否選択手段
５４５Ａ　省電力モード切替手段
５４５Ｂ　省電力モード移行予告手段
５４５Ｃ　入力画像信号擬制手段
５４５Ｄ　計時手段
５４６　状態画像表示手段
Ｓ７　省電力モード移行予告ステップ
Ｓ１１　省電力モード切替ステップ
【図１】
2004021218.tif 000003
【図２】
2004021218.tif 000004
【図３】
2004021218.tif 000005
【図４】
2004021218.tif 000006
【図５】
2004021218.tif 000007
【図６】
2004021218.tif 000008
【図７】
2004021218.tif 000009
【図８】
2004021218.tif 000010
【図９】
2004021218.tif 000011
【図１０】
2004021218.tif 000012
【図１１】
2004021218.tif 000013
【図１２】
2004021218.tif 000014